(57)【特許請求の範囲】
【請求項１】
縦方向および横方向と、身体側およびその反対側と、前記縦方向に連なる前後ウエスト域および前記前後ウエスト域間に位置するクロッチ域と、前記縦方向に延びる両側部および前記横方向に延びる前後端部とを含むシャーシと、前記シャーシの前記身体側に位置する肌当シートとを有する使い捨て着用物品において、
前記シャーシは、前記身体側に位置する内面シートと、前記反対側に位置する外面シートと、前記内面シート及び前記外面シートの間に位置する吸液性のコアとを含み、
前記肌当シートは、前記身体側に位置する第１シートと、前記内面シート側に位置する第２シートとを含み、前記横方向に延びるとともに、少なくとも前記後ウエスト域に位置し、その両側部のみが前記シャーシに接合され、前記第２シートは、前記縦方向に延びる複数の畝部と、これら畝部の間に形成された溝部とを有することを特徴とする前記使い捨て着用物品。
【請求項２】
前記第１シートは、前記縦方向に延びる複数の凸条を前記身体側に有する繊維不織布によって形成される請求項１記載の使い捨て着用物品。
【請求項３】
前記肌当シートの両側部には、前記畝部と前記溝部とが形成されていない請求項１または２記載の使い捨て着用物品。
【請求項４】
前記肌当シートは、少なくとも前記横方向へ弾性的に伸縮可能にされる請求項１〜３のいずれかに記載の使い捨て着用物品。
【請求項５】
前記肌当シートは、前記第１および第２シートの間に伸長状態で取り付けられて前記横方向に延びる弾性部材を含む請求項１〜４のいずれかに記載の使い捨て着用物品。
【請求項６】
前記肌当シートは、前記第１および第２シートの間に伸長状態で取り付けられて前記横方向に延びる弾性部材の収縮によって、前記第１シートの前記凸条が前記横方向に接近するとともに、前記第２シートに前記畝部と前記溝部とが形成される請求項２記載の使い捨て着用物品。
【請求項７】
前記肌当シートは、前記横方向に延びる前端部および後端部と、前記前端部の一部が切り欠かれた切欠き部とを有する請求項１〜６のいずれかに記載の使い捨て着用物品。
【請求項８】
前記肌当シートは、前記縦方向に並んで複数取り付けられる請求項１〜７のいずれかに記載の使い捨て着用物品。
【請求項９】
前記肌当シートと前記シャーシとが重なる部分であって、前記肌当シートの前記シャーシに対向する面、および、前記シャーシの前記肌当シートに対向する面の少なくともいずれか一方の面に、摩擦抵抗低減手段が形成される請求項１〜８のいずれかに記載の使い捨て着用物品。
【請求項１０】
前記摩擦抵抗低減手段は、滑性材料によって形成される請求項９記載の使い捨て着用物品。
【請求項１１】
前記滑性材料は、シリコン樹脂である請求項１０記載の使い捨て着用物品。
【請求項１２】
前記クロッチ域の前記横方向の長さ寸法は、前記前後ウエスト域のそれよりも小さくされる請求項１〜１１のいずれかに記載の使い捨て着用物品。
【請求項１３】
前記後ウエスト域の前記縦方向の長さ寸法は、前記前ウエスト域のそれよりも大きくされる請求項１〜１２のいずれかに記載の使い捨て着用物品。
【請求項１４】
前記シャーシの身体側には、前記着用物品の両側部に沿って前記縦方向に延びるとともに、前記シャーシに接合される接合領域と、前記シャーシに接合されることなく前記シャーシから離間可能な離間領域とを有し、前記横方向に離間する一対の漏れバリアカフが形成され、前記肌当シートは、少なくともその一部が前記漏れ防止カフに重なって取り付けられる請求項１〜１３のいずれかに記載の使い捨て着用物品。
【請求項１５】
前記肌当シートは、前記漏れ防止カフと、前記シャーシとの間に取り付けられる請求項１４記載の使い捨て着用物品。
【請求項１６】
前記肌当シートは、前記漏れバリアカフと重なる領域で前記横方向に弾性的に伸縮可能にされる請求項１４または１５記載の使い捨て着用物品。
【発明の詳細な説明】
【技術分野】
【０００１】
本発明は、使い捨て着用物品に関し、より詳しくは、使い捨て尿取り用パッド、使い捨ておむつ、使い捨てのトイレット・トレーニングパンツ、使い捨て失禁パンツ、使い捨ての生理用パンツ等の使い捨て着用物品に関する。
【背景技術】
【０００２】
従来、前後ウエスト域と、これら前後ウエスト域の間に位置するクロッチ域とを有する使い捨ておむつにおいて、おむつが内外面シートと、内外面シートの間に位置する吸収性コアとを含み、内面シートの身体側に位置する別体のシートが取り付けられることは公知である。例えば、特許文献１には、内面シートにさらにバリアシートを積層したおむつが開示されている。特許文献２には、内面シートにシート状のポケットカフスが形成されたおむつが開示されている。
【０００３】
特許文献１および２のおむつでは、内面シートに積層された別体のシートは、おむつの横方向に延びるとともに、その両側部分と、両側部分に交差する前後端部分のうちの少なくとも一方とが内面シートに接合されている。
【先行技術文献】
【特許文献】
【０００４】
【特許文献１】特許第３４９３２１１号公報（ＪＰ  ３４９３２１１  Ｂ２）
【特許文献２】特許第３４５７００３号公報（ＪＰ  ３４５７００３  Ｂ２）
【発明の概要】
【発明が解決しようとする課題】
【０００５】
特許文献１および２に記載されたおむつでは、いずれも内面シートに積層された別体のシートは、両側部分のみならず、少なくとも前後端部分の一方が内面シートに接合されているから、このシートは、内面シートに対してずれるようにして縦方向または横方向に相対的に移動することができない。
【０００６】
この発明では、シャーシの身体側に位置する肌当シートが、縦方向または横方向にシャーシと相対的に移動することができる使い捨て着用物品を提供することを課題とする。
【課題を解決するための手段】
【０００７】
本発明は、縦方向および横方向と、身体側およびその反対側と、前記縦方向に連なる前後ウエスト域および前記前後ウエスト域間に位置するクロッチ域と、前記縦方向に延びる両側部および前記横方向に延びる前後端部とを含むシャーシと、前記シャーシの前記身体側に位置する肌当シートとを有する使い捨て着用物品の改良にかかわる。
【０００８】
この発明は、前記シャーシは、前記身体側に位置する内面シートと、前記反対側に位置する外面シートと、前記内面シート及び前記外面シートの間に位置する吸液性のコアとを含み、前記肌当シートは、前記身体側に位置する第１シートと、前記内面シート側に位置する第２シートとを含み、前記横方向に延びるとともに、少なくとも前記後ウエスト域に位置し、その両側部のみが前記シャーシに接合され、前記第２シートは、前記縦方向に延びる複数の畝部と、これら畝部の間に形成された溝部とを有することを特徴とする。
【０００９】
この発明の実施態様のひとつとして、前記肌当シートは、少なくとも前記横方向へ弾性的に伸縮可能にされる。
【００１０】
他の実施態様のひとつとして、前記第１シートは、前記縦方向に延びる複数の凸条を前記身体側に有する繊維不織布によって形成される。
他の実施態様のひとつとして、前記肌当シートの両側部には、前記畝部と前記溝部とが形成されていない。
他の実施態様のひとつとして、前記肌当シートは、前記第１および第２シートの間に伸長状態で取り付けられて前記横方向に延びる弾性部材を含む。
他の実施態様のひとつとして、前記肌当シートは、前記第１および第２シートの間に伸長状態で取り付けられて前記横方向に延びる弾性部材の収縮によって、前記第１シートの前記凸条が前記横方向に接近するとともに、前記第２シートに前記畝部と前記溝部とが形成される。
【００１１】
他の実施態様のひとつとして、前記肌当シートは、前記横方向に延びる前後端部と、前記後端部に向かって開口する切欠き部とを有する。
【００１２】
他の実施態様のひとつとして、前記肌当シートは、前記縦方向に並んで複数取り付けられる。
【００１３】
他の実施態様のひとつとして、前記肌当シートと前記シャーシとが重なる部分であって、前記肌当シートの前記シャーシに対向する面、および、前記シャーシの前記肌当シートに対向する面の少なくともいずれか一方の面に、摩擦抵抗低減手段が形成される。
【００１４】
他の実施態様のひとつとして、前記摩擦抵抗低減手段は、滑性材料によって形成される。
【００１５】
他の実施態様のひとつとして、前記滑性材料は、シリコン樹脂である。
【００１６】
他の実施態様のひとつとして、前記クロッチ域の前記横方向の長さ寸法は、前記前後ウエスト域のそれよりも小さくされる。
【００１７】
他の実施態様のひとつとして、前記後ウエスト域の前記縦方向の長さ寸法は、前記前ウエスト域のそれよりも大きくされる。
【００１８】
他の実施態様のひとつとして、前記シャーシの身体側には、前記着用物品の両側部に沿って前記縦方向に延びるとともに、前記シャーシに接合される接合領域と、前記シャーシに接合されることなく前記シャーシから離間可能な離間領域とを有し、前記横方向に離間する一対の漏れバリアカフが形成され、前記肌当シートは、少なくともその一部が前記漏れ防止カフに重なって取り付けられる。
【００１９】
他の実施態様のひとつとして、前記肌当シートは、前記漏れ防止カフと、前記シャーシとの間に取り付けられる。
【００２０】
他の実施態様のひとつとして、前記肌当シートは、前記漏れバリアカフと重なる領域で前記横方向に弾性的に伸縮可能にされる。
【発明の効果】
【００２１】
本発明の特にそのひとつ以上の実施態様によれば、シャーシの身体側に位置する肌当シートは、その両側縁のみ、シャーシに接合することとしたので、両側縁以外の非接合部分は、シャーシに相対的に移動することができる。肌当シートとシャーシとが相対的に移動するので、肌当シートが着用者の身体に追従するとともに着用物品が着用者の肌に対して擦れることがなく、着用者の肌への刺激を低減することができる。
【図面の簡単な説明】
【００２２】
【図１】第１の実施形態の使い捨て着用物品の一例である使い捨ての尿取り用パッドの平面図。
【図２】図１の分解組立図。
【図３】図１のＩＩＩ−ＩＩＩＩ線断面図。
【図４】パッドの着用状態を示す説明図。
【図５】パッドの着用状態を示す説明図。
【図６】パッドの着用状態を示す説明図。
【図７】第２の実施形態の肌当シートの斜視図。
【図８】図７の肌当シートの収縮した図。
【図９】パッドの着用状態を示す図６と同様の図。
【図１０】第３の実施形態のパッドの一部破断平面図。
【図１１】図１０のＸＩ−ＸＩ線断面図。
【図１２】肌当シートの一部破断説明図。
【図１３】第４の実施形態のパッドの平面図。
【図１４】第５の実施形態の肌当シートの平面図。
【図１５】第６の実施形態の使い捨て着用物品の一例である使い捨ておむつの斜視図。
【図１６】おむつの一部破断展開平面図。
【発明を実施するための形態】
【００２３】
＜第１の実施形態＞
図１は、本発明に係る使い捨て着用物品の一例として示す、使い捨ての尿取り用パッド１の平面図、図２は、パッド１の一部を破断した分解斜視図、図３は、図１のＩＩＩ−ＩＩＩ線断面図、図４および５は、パッド１の着用状態を示した図、図６は、着用状態におけるパッド１の説明図である。パッド１は、横方向Ｘの長さ寸法を二等分した仮想縦中心線Ｐ−Ｐ、縦方向Ｙの長さ寸法を二等分した仮想横中心線Ｑ−Ｑを有し、仮想縦中心線Ｐ−Ｐに関してほぼ対称とされている。対称の部分では、その一方にのみ符号を付し、他方では一部省略している。
【００２４】
パッド１は、着用者の身体側およびその反対側である着衣側と、前ウエスト域１１と、後ウエスト域１２と、前後ウエスト域１１，１２間に位置するクロッチ域１３とを有するシャーシ１０と、シャーシ１０の身体側に取り付けられた肌当シート３０とを含む。
【００２５】
シャーシ１０は、互いに仮想横中心線Ｑ−Ｑに関して対向し、横方向Ｘに延びる前後端部１４，１５と、互いに仮想縦中心線Ｐ−Ｐに関して対向し、縦方向Ｙへ延びる両側部とを有する。両側部は、前ウエスト域１１に位置する前側部１６ａと、後ウエスト域１２に位置する後側部１６ｂと、クロッチ域１３に位置するクロッチ側部１６ｃとを有する。前後側部１６ａ，１６ｂは、仮想縦中心線Ｐ−Ｐにほぼ平行に延びるとともに、クロッチ側部１６ｃは、着用時に着用者の大腿部に沿ってフィットするように凹曲状に形成されている。このようなクロッチ側部１６ｃによってクロッチ部１３が形成される。この実施形態では、クロッチ域１３の大部分は、仮想横中心線Ｑ−Ｑよりも縦方向Ｙの前方に形成され、後ウエスト域１２の縦方向Ｙの長さ寸法は、前ウエスト域１１のそれよりも大きくされている。
【００２６】
シャーシ１０は、身体側を形成する内面シート１７と、その反対側である着衣側を形成する外面シート１８、これら内外面シート１７，１８の間に位置する吸液性のパネル状のコア１９とを含む。外面シート１８とコア１９との間には、コア１９の底面を覆う漏れ防止フィルム２０が介在されている。内面シート１７とコア１９、コア１９と漏れ防止フィルム２０、漏れ防止フィルム２０と外面シート１８は、それぞれ互いにホットメルト接着剤等によって間欠的に接合されている。
【００２７】
内外面シート１７，１８は、スパンボンド繊維不織布、スパンボンド・メルトブローン・スパンボンド（ＳＭＳ）繊維不織布、エアスルー繊維不織布等を用いることができる。漏れ防止フィルム２０は、透湿性を有する不透液性のプラスチックフィルムを用いることができる。コア１９は、フラッフパルプと超吸収性ポリマー粒子等との混合物を圧縮形成した吸液性の芯材２１を液拡散性シート２２で覆うことによって形成される。
【００２８】
コア１９は、少なくともクロッチ域１３に位置するとともに、前後ウエスト域１１，１２に向かって縦方向Ｙに延びている。コア１９は、クロッチ域１３において、横方向Ｘの長さ寸法が小さくなり、仮想横中心線Ｑ−Ｑに向かってくびれた形状を有している。
【００２９】
後ウエスト域１２において、内面シート１７の内側には、着用者の肌に接触可能な肌当シート３０が取り付けられている。具体的には、肌当シート３０は、横方向Ｘに延びる前後端部３１，３２と、縦方向Ｙに延びる両側部３３とを有している。肌当シート３０は、シャーシ１０の一方の後側部１６ｂと他方の後側部１６ｂとの間に延びるとともに、両側部３３のみが内面シート１７にホットメルト接着剤などの接合手段３４によって接合されている。したがって、両接合手段３４の間は、肌当シート３０と内面シート１７とが非接合となっている。このような肌当シート３０は、例えば、スパンボンド繊維不織布、ＳＭＳ繊維不織布等、着用者の肌に対して摩擦刺激が少ない材料を用いることができる。
【００３０】
図４および５は、パッド１の着用状態を例示し、着用者Ｂを仮想線で示している。図示したように、クロッチ域１３を着用者の股下にあてがい、前ウエスト域１１を着用者の腹側に、後ウエスト域１２を背側に位置させる。パッド１は、その上からさらにおむつやおむつカバーなどで覆われて、パッド１を着用者に密着させるように使用されるのが一般的である。図４，５では、おむつまたはおむつカバーを省略している。この実施形態では、パッド１の前側部１６ａと後側部１６ｂとは互いに接触することなく、着用者の腹側と背側との間で離間している。
【００３１】
パッド１は、後ウエスト域１２が前ウエスト域１１に比べて、縦方向Ｙの長さ寸法が大きくされているので、着用者の背側が広い範囲で覆われるようになる。図５に示したように、着用者Ｂの仙骨部分Ｃが後ウエスト域１２で覆われている。パッド１は、着脱が容易であることから、ベッド等に寝ている時間が多い着用者に好適であるが、着用者が仰向けで寝ている場合には、尿は背中側へと流れるから、後ウエスト域１２の縦方向Ｙの長さ寸法を大きくすることによって、着用者の背中側に流れた尿を吸収することができる。また、このように仰向けで寝ている場合には、他の部分よりも突出する仙骨が自重でベッド等に押し付けられ、褥瘡の原因になることもあるが、パッド１を仙骨とベッドとの間に位置させることによってクッションとして機能することも期待できる。
【００３２】
上記のような肌当シート３０は、その両側部３３のみ、内面シート１７に接合されているから、接合手段３４の横方向Ｘの間では内面シート１７に対して離間可能となり、肌当シート３０は内面シート１７と相対的に移動することができる。
【００３３】
パッド１を着用すると、肌当シート３０は着用者Ｂの背側であって、好ましくは仙骨部分Ｃに対応して位置する。この状態において、例えばベッドをリクライニングさせ、上半身を起こすと、着用者の体重によって臀部が前方に移動することがある。このような場合であっても、肌当シート３０と内面シート１７とがずれるように相対的に縦方向Ｙに移動し、肌当シート３０は着用者Ｂに追従して移動することができる。
【００３４】
図６は、肌当シート３０が内面シート１７に対してずれるように移動した状態を例示した図である。肌当シート３０が着用者に追従し、内面シート１７に対して相対的に移動すると、肌当シート３０は、その横方向Ｘ中央部分を縦方向Ｙの下方に弛ませるように変形する。肌当シート３０が弛むことによって、シャーシ１０の後側部１６ｂが引っ張られ、その形状を変化させる。このパッド１は、別体のおむつやおむつカバーによって、身体側に取り付けられるものであって、前後側部１６ａ，１６ｂを互いに接合することによって着用者に密着させるものではないため、上記のように、シャーシ１０が変形可能とされる。
【００３５】
上記のように、肌当シート３０が身体に追従して移動することによって、身体の背側は、肌当シート３０との間で擦れることがなく、擦れることによる肌への刺激を低減することができる。また、褥瘡が生じやすい仙骨部分Ｃに肌当シート３０が対応するので、擦れることによる褥瘡の発生、および、褥瘡の悪化を防止することができる。
【００３６】
この実施形態では、肌当シート３０の横方向Ｘの長さ寸法が、内面シート１７のそれとほぼ等しくしているが、内面シート１７の長さ寸法よりも肌当シート３０の方を長くして、肌当シート３０を縦方向Ｙに延びる折曲線に沿って折り畳んで使用することができる。このように肌当シート３０の横方向Ｘの長さ寸法を大きくすることによって、内面シート３０に対する相対的な移動距離を大きくすることができ、シャーシ１０の後側部１６ｂを引っ張ることなく、肌当シート３０が内面シート３０に対してずれることができる。また、肌当シート３０は、縦方向Ｙへの移動だけでなく、横方向Ｘへも移動可能となるので、例えば、着用者の寝返り時におけるシャーシ１０と肌との擦れを防止することもできる。
【００３７】
＜第２の実施形態＞
図７，８は、第２の実施形態のパッド１に用いられる肌当シート３０を示したものである。図９は、パッド１の使用状態における形状を説明するための図であって、第１の実施形態の図６と同様の図である。この第２の実施形態では、肌当シート３０の構成が第１の実施形態と異なる。第１の実施形態と同様の構成については、第１の実施形態と同じ符号を用い、その詳細な説明を省略する。
【００３８】
肌当シート３０は、身体側に位置する第１シート３５と、その反対側であって内面シート１７側に位置する第２シート３６と、第１および第２シート３５，３６の間に取り付けられた複数の弾性部材３７とを有する。第１シート３５は、身体側に、縦方向Ｙに延びる複数の凸条３５ａを有する繊維不織布を用いている。例えば、第１シート３５を構成する繊維ウェブの上部に配置されたノズルから連続的に気体を噴射することで、気体が噴射された部分で凹条が形成され、気体が直接噴射されなかった部分で凸条３５ａが形成される。隣接する一方の凸条３５ａから他方の凸条３５ａまでの長さ寸法であるピッチは、例えば、約３ｍｍ〜６ｍｍとすることができる。このような第１シート３５は、繊維ウェブの繊維の再配向により凸条３５ａに比べて、その間の凹条で密度を低くすることができる。また、噴射する気体の量を間欠的に多くすることによって、凹条に、縦方向Ｙに間欠的な透孔を形成することもできる。この製法のほかには、第１シート３５のウォータージェット処理やスチームジェット処理、プレス加工またはギア加工によって、凸条を形成することもできる。
【００３９】
第２シート３６は、凸条のない一般的な繊維不織布を用いている。弾性部材３７は、横方向Ｘに延びるとともに、縦方向Ｙに離間して、伸長状態で収縮可能に取り付けられる。また、弾性部材３７は、両側部３３までは取り付けられることなく、両側部３３から離間して取り付けられている。
【００４０】
図８は、上記のような肌当シート３０の弾性部材３７が、収縮した状態を示した図である。図示したように、第１シート３５は、弾性部材３７の収縮によって、隣接する凸条３５ａが互いに横方向Ｘに接近し、第２シート３６は、弾性部材３７の収縮によって、縦方向Ｙに延びる複数の畝部３８と溝部３９とが形成される。畝部３８は、内面シート１７に向かって突出する部分であり、溝部３９は、複数の畝部３８の間に形成されたものである。
【００４１】
肌当シート３０の両側部３３には、弾性部材３７が位置しないから、この両側部３３では、畝部３８および溝部３９は形成されることがなく、平坦な状態を維持している。このような平坦な両側部３３にホットメルト接着剤等の接合手段３４を塗布し、肌当シート３０を内面シート１７に接合している。畝部３８および溝部３９が形成された部分で、接合するとその接合強度が低下する恐れがあるが、平坦な両側部３３で内面シート１７に接合されるので、接合強度の低下を防止することができる。
【００４２】
肌当シート３０は、弾性部材３７を取り付けることによって、横方向Ｘへ弾性的に収縮可能にすることができる。このような肌当シート３０は、図８に示したように、収縮した状態で、内面シート１７に取り付けられる。
【００４３】
図９は、肌当シート３０をシャーシ１０に接合し、着用によって肌当シート３０が縦方向Ｙにずれた状態を示したものである。着用者の背部に肌当シート３０が接触し、背部に追従して移動すると、弾性的に収縮可能な肌当シート３０は、伸長しながら内面シート１７に対して相対的に移動することができる。したがって、シャーシ１０の後側部１６ｂが、引っ張られて変形してしまうことがない。
【００４４】
肌当シート３０の第２シート３６には、弾性部材３７の収縮による畝部３８および溝部３９が形成されているから、内面シート１７との接触面積を小さくすることができる。接触面積を小さくすることによって、これらシートの間の摩擦抵抗を低減することができ、肌当シート３０は内面シート１７に対する移動が容易になる。
【００４５】
第１シート３５の身体側面には、複数の凸条３５ａを形成しているので、肌に接触する面積を小さくすることができ、肌に対する刺激を低減することができる。さらに、弾性部材３７の収縮によって、隣接する凸条３５ａとの間隔が短くなり、全体的に柔軟性が向上される。第１および第２シート３５，３６、弾性部材３７を接合するために、ホットメルト接着剤等を使用した場合には、接合部分で剛性が高くなる可能性もあるが、第１シート３５の凸条３５ａが肌に接触することによって、高剛性部による肌の刺激を低減することができる。
【００４６】
この実施形態では、横方向Ｘに弾性的に収縮可能な肌当シート３０として、第１および第２シート３５，３６の間に弾性部材３７を取り付けることとしたが、肌当シート３０として、弾性繊維を含む伸縮性繊維不織布を用いることができる。ただし、この場合には、必ずしも畝部３８および溝部３９が形成されることがない。また、例えば、縦方向Ｙに延びる弾性部材を伸長状態で取り付けて、縦方向Ｙにも弾性的に収縮可能とすることもできるし、横方向Ｘに延びる弾性部材の一部を縦方向Ｙに突出させて、全体として湾曲させて取り付けることもできる。弾性部材３７としては、この種の分野において通常用いられている、各種の公知の材料を制限なく用いることができる。例えば、弾性部材３７は、図示例の糸状または紐状のもののほか、これらよりも幅が広いリボン状またはテープ状のものを用いることができ、その材料としては、例えば、糸状、紐状のものには、天然・合成ゴム、リボン・テープ状のものには、ポリウレタン、伸縮性繊維不織布を用いることができる。第１シート３５として、凸条３５ａが形成された繊維不織布を用いているが、これが形成されない平坦な繊維不織布を用いることもできる。
【００４７】
＜第３の実施形態＞
図１０は、第３の実施形態におけるパッド１を示したものである。図１１は、図１０のＸＩ−ＸＩ線断面図、図１２は、肌当シート３０の説明図である。この第３の実施形態におけるパッド１では、シャーシ１０の身体側にさらに漏れバリアカフ４０を取り付けることを特徴とする。第１の実施形態と同様の構成要素については、第１の実施形態と同じ符号を用い、その詳細な説明は省略する。
【００４８】
シャーシ１０の両側部には、一対の漏れバリアカフ４０が取り付けられている。漏れバリアカフ４０は、横方向Ｘに離間して配置されるとともに、前端部１４と後端部１５との間に延びている。漏れバリアカフ４０は、前後端部１４，１５、前後側部１６ａ，１６ｂおよびクロッチ側部１６ｃにおいて、内面シート１７とホットメルト接着剤等の接合手段４１によって接合され、接合領域４２が形成される。接合領域４２以外の部分では、内面シート１７に接合されることなく、内面シート１７に離間可能な離間領域４３が形成される。
【００４９】
離間領域４３の横方向Ｘ内側には、縦方向Ｙに延びるカフ弾性部材４４が取り付けられている。カフ弾性部材４４は、縦方向Ｙに伸長状態で取り付けられ、収縮可能にされている。このカフ弾性部材４４の収縮によって、離間領域４３が、内面シート１７から起立するように離間し、尿等の漏れを防止することができる。
【００５０】
上記のような漏れ防止カフ４０と内面シート１７との間に、肌当シート３０を取り付けている。肌当シート３０は、漏れ防止カフ４０側に位置する第１シート３５と、内面シート１７側に位置する第２シート３６と、これら第１および第２シート３５，３６の間に取り付けられた複数条の弾性部材３７とを有している。図１２は、弾性部材３７の伸長状態の図であって、第２シート３６側から見たときの平面図である。
【００５１】
弾性部材３７は、漏れ防止カフ４０と重なる部分において取り付けられている。弾性部材３７は、横方向Ｘに延びるとともに、縦方向Ｙに離間して取り付けられ、伸長状態で収縮可能に取り付けられる。ただし、両側部３３の近傍には、取り付けられていない。したがって、肌当シート３０は、弾性部材３７が取り付けられた部分においては、縦方向Ｙに延びる畝部３８と、これら畝部３８の間に延びる溝部３９が形成される。横方向Ｘ中央部および両側部３３においては、弾性部材３７の収縮力が作用することなく、平坦な状態を維持している。肌当シート３０は、収縮した状態で、内面シート１７に接合手段３４によって接合される。接合手段３４は、平坦にされている両側部３３に形成される。弾性部材３７は、第２の実施形態のそれと同様なものを用いることができる（段落００４４参照）。
【００５２】
このように弾性部材３７を取り付けることによって、肌当シート３０の一部を横方向Ｘに弾性的に収縮可能にすることができ、肌当シート３０の内面シート１７に対する移動距離を大きくすることができる。
【００５３】
肌当シート３０の第２シート３６の内面シート１７対向面には、摩擦抵抗低減手段５０として、シリコン樹脂が塗布されている。摩擦抵抗低減手段５０は、弾性部材３７の間の平坦な部分に形成される。このように摩擦抵抗低減手段５０を設けることによって、内面シート１７との摩擦が低減し、より一層、肌当シート３０が内面シート１７に対して移動しやすくなる。
【００５４】
摩擦抵抗低減手段５０として、化粧的に許容可能な滑性材料、例えば、シリコン樹脂を用いた場合には、これを間欠的に塗布することもできる。例えば、縦方向Ｙに延びるとともに、横方向Ｘに離間する複数条のシリコン樹脂ラインを形成し、摩擦抵抗低減手段５０とすることができる。また、摩擦抵抗低減手段５０として、第２シート３６にプラスチックフィルム等の摩擦係数の小さいフィルムをさらに積層させることもできる。プラスチックフィルムとしては、ポリエチレンやポリプロピレンによって形成されたものを用いることができる。
【００５５】
摩擦抵抗低減手段５０は、肌当シート３０側に形成することとしているが、肌当シート３０に対向する内面シート１７の部分に形成することもできる。この場合も、摩擦抵抗低減手段５０は、シリコン樹脂を塗布するものや、プラスチックフィルムを貼付するものであってよい。
【００５６】
漏れバリアカフ４０は、横方向Ｘに離間し、これらの間に肌当シート３０が露出されるので、肌当シート３０は、着用者の身体に接触可能となる。また、これら肌当シート３０の露出した部分には、弾性部材３７が取り付けられず、畝部３８および溝部３９が形成されないこととしているので、これら畝部３８および溝部３９によって着用者の肌にこれらの圧迫による痕跡が残ってしまうのを防止することができるとともに、肌への刺激を低減することができる。
【００５７】
この実施形態では、漏れバリアカフ４０と内面シート１７との間に肌当シート３０を取り付けることとしているが、漏れバリアカフ４０の身体側に取り付けることとしてもよい。この場合には、肌当シート３０の移動がより容易になる。
【００５８】
＜第４の実施形態＞
図１３は、第４の実施形態のパッド１を示したものである。この実施形態では、肌当シートを複数取り付けたことを特徴とし、他の構成要素は第１の実施形態と同様である。その同様の構成要素については、第１の実施形態と同じ符号を用い、その詳細な説明を省略する。
【００５９】
シャーシ１０の身体側であって、後ウエスト域１２には、縦方向Ｙに離間する２つの肌当シート３０ａ，３０ｂが取り付けられている。肌当シート３０ａは、後端部１５側に位置し、肌当シート３０ｂはそのクロッチ域１３側に位置している。肌当シート３０ａ，３０ｂは、その両側部３３のみが接合手段３４によって内面シート１７に接合されている。肌当シート３０ａは、着用者の仙骨部分に対応する位置に配置され、肌当シート３０ｂは、着用者の坐骨部分に対応する位置に配置されることが好ましい。
【００６０】
上記のように複数の肌当シート３０ａ，３０ｂを形成することによって、より広い面積で着用者の身体に肌当シートを接触させることができるとともに、これらが別々に内面シート１７に対して移動可能なので、より一層、パッド１との間で着用者の肌が擦れるのを防止することができる。特に、肌当シート３０ａは、他の部分よりも突出している仙骨部分に対応し、肌当シート３０ｂは、座ったときに最も体圧が集中しやすい坐骨部分に対応する。これら仙骨部分および坐骨部分は、褥瘡が発生しやすい部分であり、肌当シート３０ａ，３０ｂによってこれを防止することができる。
【００６１】
この実施形態では、２つの肌当シート３０ａ，３０ｂを用いているが、これが３以上であってもよく、その数を限定するものではない。また、肌当シートの数や大きさによっては、それらが離間されることなく、互いに接触しているような場合であってもよい。ただし、肌当シートを縦方向Ｙに離間させることによって、この離間領域と排便位置とを一致させた場合には、便が肌当シートに載るのを防止し、さらに、着用者の肌に便が付着するのを防止することができる。
【００６２】
＜第５の実施形態＞
図１４は、第５の実施形態にかかるパッドの肌当シート３０を説明する図である。ここでは、肌当シート３０のみを説明し、他の構成要素についてはその説明を省略する。
【００６３】
肌当シート３０は、前端部３１の一部が切り欠かれた切欠き部４５が形成されている。切欠き部４５は、横方向Ｘのほぼ中央に位置するとともに、前端部３１に向かって広がるＶ字形に形成されている。切欠き部４５は、着用者の排便位置に対応させて着用するのが好ましい。
【００６４】
このような肌当シート３０を有するパッドにおいては、切欠き部４５が排便領域となるので、排泄された便が肌当シート３０に載ってしまうことがなく、便が着用者の肌に付着するのを防止することができる。また、切欠き部４５を形成することによって、肌当シート３０の縦方向Ｙの長さ寸法を大きくすることができ、より広い面積で着用者に接触させることができる。
【００６５】
＜第６の実施形態＞
図１５，１６は、第６の実施形態であって、着用物品として使い捨ておむつ２を示したものである。図１５は、おむつ２のウエスト開口を環状に保った状態の斜視図、図１６は、おむつ２を展開した状態の平面図である。第１の実施形態におけるパッド１と共通する構成要素については、第１の実施形態と同じ符号を用い、その詳細な説明を省略する。
【００６６】
おむつ２の前側部１６ａと後側部１６ｂとは、互いに接合されてシーム部６１を形成している。これらシーム部６１を形成することによって、ウエスト開口６２およびレッグ開口６３が形成される。おむつ２において、クロッチ域１３は、仮想横中心線Ｑ−Ｑ上に位置し、前ウエスト域１１と後ウエスト域１２の縦方向Ｙの長さ寸法は、ほぼ等しくされている。
【００６７】
上記のような構成のおむつ２において、肌当シート３０は、シャーシ１０の身体側であって後ウエスト域１２に位置されている。具体的には、肌当シート３０は、後ウエスト域１２において内面シート１７に接合手段３４によって接合されている。接合手段３４は、肌当シート３０の両側部３３にのみ位置し、これらの間では、内面シート１２に接合されていない。したがって、肌当シート３０は、接合手段３４の間の非接合部分において、内面シート１７に相対的に移動することができる。このような肌当シート３０は、少なくとも横方向Ｘに弾性的に収縮可能にすることができる。
【００６８】
この実施形態おいて、あらかじめ前後側部１６ａ，１６ｂが接合されたいわゆるプルオン・パンツ型のおむつを例に挙げて説明しているが、前後側部１６ａ，１６ｂが接合されていないオープン型のおむつに適用することも可能である。
【００６９】
第１〜第６の実施形態においては、クロッチ域１３において横方向Ｘの長さ寸法が小さくされた使い捨ての着用物品について説明したが、横方向Ｘの長さ寸法が、前後ウエスト域１１，１２およびクロッチ域１３でほぼ等しい、略矩形の着用物品を排除するものではない。このような矩形の着用物品の場合には、着用時に着用者の股下に位置する部分をクロッチ域１３とし、クロッチ域１３よりも腹側に位置する部分を前ウエスト域１１、背側に位置する部分を後ウエスト域１２とすることができる。また、この場合には、少なくとも仮想横中心線Ｑ−Ｑよりも後端部側に肌当シート３０が位置することが好ましい。
【００７０】
パッド１およびおむつ２を構成する各構成部材には、本明細書に記載されている材料のほかに、この種の分野において通常用いられている、各種の公知の材料を制限なく用いることができる。
【００７１】
以上の実施形態において、ひとつの実施形態に他の実施形態の要素、構成を付加または組み合わせることができる。例えば、第２実施形態の摩擦抵抗低減手段５０は、他の実施形態にも適用することができる。
【符号の説明】
【００７２】
１    尿取り用パッド（使い捨ての着用物品）
２    おむつ（使い捨ての着用物品）
１０    シャーシ
１１    前ウエスト域
１２    後ウエスト域
１３    クロッチ域
１４    前端部
１５    後端部
１６ａ  前側部（側部）
１６ｂ  後側部（側部）
１６ｃ  クロッチ側部（側部）
３０    肌当シート
３１    前端部
３２    後端部
３３    両側部
３８    畝部
３９    溝部
４０    漏れバリアカフ
４２    接合領域
４３    離間領域
４５    切欠き部
５０    摩擦抵抗低減手段
【図１】
0005596994.tif 000002
【図２】
0005596994.tif 000003
【図３】
0005596994.tif 000004
【図４】
0005596994.tif 000005
【図５】
0005596994.tif 000006
【図６】
0005596994.tif 000007
【図７】
0005596994.tif 000008
【図８】
0005596994.tif 000009
【図９】
0005596994.tif 000010
【図１０】
0005596994.tif 000011
【図１１】
0005596994.tif 000012
【図１２】
0005596994.tif 000013
【図１３】
0005596994.tif 000014
【図１４】
0005596994.tif 000015
【図１５】
0005596994.tif 000016
【図１６】
0005596994.tif 000017